(57)【要約】【課題】リールの停止制御に要するデータの容量を増大させることなく出目による抽選結果の判別を困難にすることができる遊技機を提供する。【解決手段】リール３５０を変動表示可能な表示窓３１４を有し、変動開始指示に応じて役の内部抽選を行うと共にリール３５０の変動表示を開始し、各リール３５０に対してそれぞれ入力される変動停止指示に基づいて予め設定された滑りコマ数の範囲内で変動表示の停止位置を調整して各リール３５０の変動表示を停止させ、リール３５０の変動停止後に表示窓３１４が内部抽選により当選した役に応じた表示状態となった場合に当該役を入賞とするに際し、内部抽選により特定役に当選し、当該特定役を取りこぼした場合にだけチャンス目が表示可能になるように、第１停時に停止位置の決定に用いる滑りコマ数テーブル２０８（ｘ）、及び第２、第３停止時に停止位置の決定に用いるビットデータテーブル２０８（ｙ）を設定する。【選択図】図５
2008237708.tif 000002
【特許請求の範囲】
【請求項１】
複数種類の図柄を配列した複数の図柄列を変動表示可能な表示部を有し、変動開始指示に応じて役の抽選を行うと共に前記表示部における図柄列の変動表示を開始し、各図柄列に対してそれぞれ入力される変動停止指示に基づいて予め設定された調整図柄数の範囲内で変動表示の停止位置を調整して前記各図柄列の変動表示を停止させ、前記複数の図柄列の変動停止後に前記表示部が前記抽選により当選した役に応じた表示状態となった場合に当該役を入賞とする遊技機であって、
前記変動停止指示が入力されたタイミングに応じた前記変動表示の停止位置を前記調整図柄数の範囲内で設定した第１のテーブルを前記抽選の結果に応じて複数種類記憶すると共に、前記変動停止指示が入力されたタイミングに応じた前記変動表示の停止位置を導出するための第２のテーブルを既に変動表示を停止した図柄列の停止位置及び前記抽選の結果に応じて複数種類記憶する記憶手段と、
全ての図柄列が変動表示をしている状態で前記変動停止指示が入力された場合は、前記抽選の結果に応じた前記第１のテーブルに基づいて停止位置の決定を行い、何れかの図柄列が変動表示を停止している状態で前記変動停止指示が入力された場合は、前記抽選の結果及び既に変動表示を停止した図柄列の停止位置に応じた前記第２のテーブルに基づいて停止位置の決定を行なう停止位置決定手段と、
前記停止位置決定手段により決定された停止位置で前記図柄列の変動表示を停止させる停止制御を行う停止制御手段と、
を備え、
前記抽選により特定の役に当選した場合には、他の役の当選状況にかかわらず前記抽選の結果に応じた表示状態となるように停止制御を行うと共に、前記抽選の結果に応じた表示状態とすることが不可能なタイミングで停止制御が実行された場合には、当選していない役への入賞を回避しつつ予め設定した報知用の表示状態となるように前記第１のテーブル及び前記第２のテーブルを設定する一方、前記抽選により前記特定の役に当選していない場合は、前記他の役の当選状況にかかわらず、前記報知用の表示状態とならないように前記第１のテーブル及び前記第２のテーブルを設定する遊技機。
【請求項２】
前記第２のテーブルは、前記変動停止指示時の状態で停止させる識別符号である停止符号及び１図柄分の滑りを実行させる識別符号である滑り符号で構成された２値のビットデータの何れかを各図柄に対応させて記憶したデータであり、
前記停止位置決定手段は、前記第２のテーブルを用いて停止位置を決定する際に、前記役抽選の結果、並びに既に停止している図柄列における表示部での図柄配列状態、並びに、予め役に対応する図柄毎に基づいて、相対的な数量比較の下で、停止符号の方が滑り符号よりも優位となる数値を、各図柄に付与されたビットデータの前記停止符号及び滑り符号に対して付加する数値付加処理を実行して、当該数値付加処理の結果に基づいて、それぞれ前記調整図柄数の範囲内で最も優位に位置付けられた図柄で変動表示を停止させる請求項１記載の遊技機。
【発明の詳細な説明】
【技術分野】
【０００１】
本発明は、メダル、コイン、遊技球等を遊技媒体として使用するスロットマシン等の遊技機に関するものである。
【背景技術】
【０００２】
従来より、遊技機、特にパチスロ機では、所定枚数のメダルを投入し、始動レバーを操作することで、抽選を実行し、周面に複数の図柄が表示された複数列（通常３列）の図柄変動リール（図柄列表示手段）を回転させるようにしている。
【０００３】
始動レバーによって回転を開始した図柄変動リールは、それぞれに対応して設けられた停止ボタンを操作することで、基本的に、ほぼ遊技者の意図する時期に停止させることができる。
【０００４】
ここで、前記始動レバーの操作時に、内部抽選が実行され当たり／外れが決められており、遊技者が停止ボタンにより各図柄変動リールの停止操作を行い、当該内部抽選に当選している場合に、当該当選に対応する図柄が揃った時点で権利行使がなされる。
【０００５】
当たりには小役と大役とがあり、小役当選の権利行使は、予め設定された遊技媒体の配当が実行される。また、小役には再遊技（リプレイ）を含んでおり、リプレイの際には、当該遊技のために投入した遊技媒体と同等の配当がなされたものとみなして、新たに遊技媒体を投入することなく、再遊技の権利が与えられる。
【０００６】
一方、大役当選の権利行使は、当該役に対して予め設定された遊技媒体の配当が実行された後、上記通常遊技状態から所謂ボーナスゲーム（レギュラーボーナスとビッグボーナスとがある）と称される、所定回数の特別遊技状態に移行する。
【０００７】
なお、前記遊技者の停止ボタンによる停止操作の際、内部抽選の結果に応じて、所定コマ数の滑り制御を実行するようになっている。
【０００８】
すなわち、内部抽選が外れのとき、当りの場合のみ停止する図柄の停止タイミングで停止ボタンが操作された場合、その停止操作タイミングに対して、意図的にこの図柄での停止を回避するため、停止位置をずらし（蹴飛ばし）、外れ図柄配列で停止するように制御する。
【０００９】
ここで、内部抽選が当りのとき、遊技者が操作した停止操作タイミングでは当り図柄が停止しない場合にでも、所定図柄数内（現状では、最大４コマすべり）であれば、意図的にこの当たり図柄が揃って停止するように停止位置をずらす（引き込み）制御を行う。
【００１０】
上記蹴飛ばし、引き込みを行うことで、抽選の結果との統一性を持たせることができると共に、若干停止操作タイミングがずれても当り図柄を揃えることが可能となることで、遊技者の取りこぼしを可能な範囲で防いでいる。
【００１１】
従来、抽選結果及び遊技者による停止操作に基づいて抽選により当選した入賞図柄を有効ラインに引込むようにする停止制御を行う際に、リールの停止制御を行うリール停止制御手段を複数種類備えておき、何れのリール停止制御手段を使用するかを選択することが提案されている（例えば、特許文献１参照）。
【特許文献１】特開２００３−７９８１１公報
【発明の開示】
【発明が解決しようとする課題】
【００１２】
しかしながら、上記特許文献１では、ボーナスに当選した場合や取りこぼしの可能性のある役に当選し、更に、それらの役を取りこぼしたときは、遊技者にそのことを報知するチャンス目を表示させるように停止データを持っていることが多いが、その後の数ゲームの出目を見ていれば、ボーナスに当選しているのか、取りこぼしの可能性のある役に当選しただけだったのかの判別ができてしまうことがある。
【００１３】
すなわち、ボーナスフラグは揃うまで消滅しないので、以降のゲームにおいても頻繁にチャンス目が出現するが、取りこぼしの可能性のある役に当選した場合は当選したゲームが終わるとフラグが消滅するので、以降のゲームでも頻繁に出現するという可能性は低い。
【００１４】
ここで、チャンス目とは、ボーナスに当選し、ボーナスを取りこぼしたときに表示される出目のうち、取りこぼしの可能性のある特定の役を取りこぼしたときにも表示される出目である。この出目が表示されると遊技者はボーナスの当選を期待する。
【００１５】
また、取りこぼしの可能性のある役とボーナスが同時に当選する遊技機もあるが、この場合も役を取りこぼした場合には、同様の出目（チャンス目）が表示される場合が多い。
【００１６】
なお、ボーナス当選時用の停止データと、取りこぼしの可能性のある役の当選時用の停止データとをそれぞれ複数用意しておき、抽選で決定することにより、例えば、ボーナスに当選した時にチャンス目が表示される停止データと、チャンス目が表示されない停止データを用意していれば出目による判別を困難にすることはできるが、そのための停止データが必要になってしまう。
【００１７】
本発明は上記事実を考慮し、リールの停止制御に要するデータの容量を増大させることなく出目による抽選結果の判別を困難にすることができる遊技機を提供することが目的である。
【課題を解決するための手段】
【００１８】
上記課題を解決するために、請求項１の発明は、複数種類の図柄を配列した複数の図柄列を変動表示可能な表示部を有し、変動開始指示に応じて役の抽選を行うと共に前記表示部における図柄列の変動表示を開始し、各図柄列に対してそれぞれ入力される変動停止指示に基づいて予め設定された調整図柄数の範囲内で変動表示の停止位置を調整して前記各図柄列の変動表示を停止させ、前記複数の図柄列の変動停止後に前記表示部が前記抽選により当選した役に応じた表示状態となった場合に当該役を入賞とする遊技機であって、前記変動停止指示が入力されたタイミングに応じた前記変動表示の停止位置を前記調整図柄数の範囲内で設定した第１のテーブルを前記抽選の結果に応じて複数種類記憶すると共に、前記変動停止指示が入力されたタイミングに応じた前記変動表示の停止位置を導出するための第２のテーブルを既に変動表示を停止した図柄列の停止位置及び前記抽選の結果に応じて複数種類記憶する記憶手段と、全ての図柄列が変動表示をしている状態で前記変動停止指示が入力された場合は、前記抽選の結果に応じた前記第１のテーブルに基づいて停止位置の決定を行い、何れかの図柄列が変動表示を停止している状態で前記変動停止指示が入力された場合は、前記抽選の結果及び既に変動表示を停止した図柄列の停止位置に応じた前記第２のテーブルに基づいて停止位置の決定を行なう停止位置決定手段と、前記停止位置決定手段により決定された停止位置で前記図柄列の変動表示を停止させる停止制御を行う停止制御手段と、を備え、前記抽選により特定の役に当選した場合には、他の役の当選状況にかかわらず前記抽選の結果に応じた表示状態となるように停止制御を行うと共に、前記抽選の結果に応じた表示状態とすることが不可能なタイミングで停止制御が実行された場合には、当選していない役への入賞を回避しつつ予め設定した報知用の表示状態となるように前記第１のテーブル及び前記第２のテーブルを設定する一方、前記抽選により前記特定の役に当選していない場合は、前記他の役の当選状況にかかわらず、前記報知用の表示状態とならないように前記第１のテーブル及び前記第２のテーブルを設定する遊技機。
【００１９】
請求項１の発明によれば、複数種類の図柄を配列した複数の図柄列を変動表示可能な表示部を有し、変動開始指示に応じて役の抽選を行うと共に前記表示部における図柄列の変動表示を開始し、各図柄列に対してそれぞれ入力される変動停止指示に基づいて予め設定された調整図柄数の範囲内で変動表示の停止位置を調整して前記各図柄列の変動表示を停止させ、前記複数の図柄列の変動停止後に前記表示部が前記抽選により当選した役に応じた表示状態となった場合に当該役を入賞とするに際し、全ての図柄列が変動表示をしている状態で前記変動停止指示が入力された場合は、前記抽選の結果に応じた前記第１のテーブルに基づいて停止位置の決定を行い、何れかの図柄列が変動表示を停止している状態で前記変動停止指示が入力された場合は、前記抽選の結果及び既に変動表示を停止した図柄列の停止位置に応じた前記第２のテーブルに基づいて停止位置の決定を行なって、決定された停止位置で前記図柄列の変動表示を停止させる停止制御を行う。
【００２０】
すなわち、請求項１の発明では、第１のテーブル及び第２のテーブルがそれぞれ複数種類記憶されており、第１のテーブルは抽選結果に応じて選択され、第２のテーブルは抽選結果及び既に変動を停止した図柄列の停止位置に応じて選択される。
【００２１】
なお、第１のテーブルは、変動表示の停止位置を調整図柄数の範囲内で設定したデータとしており、第２のテーブルは、変動停止指示が入力されたタイミングに応じた変動表示の停止位置を導出するためのデータとしている。
【００２２】
ここで、本発明によれば、抽選により特定の役に当選し、当該役を取りこぼした場合にだけ、予め設定した報知用の表示状態（所謂、チャンス目が表示された状態）となるように第１のテーブル及び第２のテーブルを設定しているので、特定役の単独当選と特定役と大役との同時当選を設定しておけば出目による抽選結果の判別が困難になり、チャンス目が表示されることにより高まった期待感を図柄列の停止データ容量を増やさずに次以降の遊技に効果的に継続させることができる。
【００２３】
すなわち、特定の役に当選している場合には、他の役の当選状況にかかわらず（例えば、他の役（大役）に同時当選している状態）抽選の結果に応じた表示状態となるように停止制御を行い、抽選の結果に応じた表示状態とすることが不可能なタイミングで停止制御が実行された場合（大役も特定役も引き込めなかった場合）には、当選していない役への入賞を回避しつつ予め設定した報知用の表示状態となるようにしている。一方、抽選により特定の役に当選していない場合は、他の役の当選状況にかかわらず（例えば、大役の単独当選や不当選など）、報知用の表示状態とならないようにしている。
【００２４】
したがって、リールの停止制御に要するデータの容量を増大させることなく出目による抽選結果の判別を困難にすることができる。
【００２５】
また、画像を表示可能な表示装置やランプ、スピーカ等を用いて遊技の進行状況に応じた演出を実行する機種においては、リールの停止制御に要するデータの容量を増大させることなく出目による抽選結果の判別を困難にすることにより、液晶等での報知演出を有効にできる。
【００２６】
請求項２の発明は、請求項１記載の発明において、前記第２のテーブルを、前記変動停止指示時の状態で停止させる識別符号である停止符号及び１図柄分の滑りを実行させる識別符号である滑り符号で構成された２値のビットデータの何れかを各図柄に対応させて記憶したデータとし、前記停止位置決定手段は、前記第２のテーブルを用いて停止位置を決定する際に、前記役抽選の結果、並びに既に停止している図柄列における表示部での図柄配列状態、並びに、予め役に対応する図柄毎に基づいて、相対的な数量比較の下で、停止符号の方が滑り符号よりも優位となる数値を、各図柄に付与されたビットデータの前記停止符号及び滑り符号に対して付加する数値付加処理を実行して、当該数値付加処理の結果に基づいて、それぞれ前記調整図柄数の範囲内で最も優位に位置付けられた図柄で変動表示を停止させる。
【００２７】
請求項２の発明によれば、調整図柄数の範囲内にある最適な停止位置を選択することができる。
【発明の効果】
【００２８】
以上説明した如く本発明では、リールの停止制御に要するデータの容量を増大させることなく出目による抽選結果の判別を困難にすることができる、という優れた効果を有する。
【発明を実施するための最良の形態】
【００２９】
（パチスロ機の概略構成）
図１に示される如く、パチスロ機３００は、本体３０２と、本体３０２の正面に設けられた開閉カバーとしての操作兼装飾部３０３とを備えて構成されている。
【００３０】
操作兼装飾部３０３は、上から装飾部３０４、操作部３０６、払出部３１０に分類することができる。
【００３１】
装飾部３０４は、内部でバックライト部（図示省略）が点灯することで、印刷された絵や文字が透過照明される表示パネル部３１２が取り付けられている。また、装飾部３０４の一部として、前記装飾部３０４の上部には、立体的な装飾ランプ３０４Ａも左右方向に設けられている。また、装飾ランプ３０４近傍には、演出用の音声等を再生するためのスピーカ３０５Ｒ、３０５Ｌが設けられている。
【００３２】
装飾部３０４の表示パネル部３１２は、演出用の動画像を表示するための液晶表示装置（ＬＣＤ）３１３と、回胴表示図柄を表示するための表示窓３１４とを備えている。表示窓３１４は、前記表示パネル部３１２と一体成型される透明領域で構成されている。
【００３３】
この表示窓３１４の内部には、３個の回胴リール３５０Ａ、３５０Ｂ、３５０Ｃを主要部として構成された図柄変動部３１６が配設されている。
【００３４】
また、表示窓３１４の下部には、このパチスロ機３００の遊技媒体であるメダルの払出枚数を表示する７セグメント表示部３１５Ａ、ジャックゲーム残回数や遊技状態の設定（６段階）表示等を行なう表示部３１５Ｂ、クレジット枚数を表示する７セグメント表示部３１５Ｃが設けられている。
【００３５】
操作部３０６は、その上部が手前に突き出ており、この突き出し部分の上面の右端部にはメダル投入部３２０が設けられ、また、上面左端部からは順にクレジットの払い戻しをする際に押下操作される精算ボタン１０３、１枚ベット（投入）ボタン３５２Ａ、ＭＡＸベット（最大投入）ボタン３５２Ｂが設けられている。また、突き出し部分の前面左端部からは、順に始動レバー３５４、停止ボタン３５６Ａ、３５６Ｂ、３５６Ｃ等が設けられている。
【００３６】
払出部３１０は、メダル排出口３２６と、このメダル排出口３２６から排出されるメダルを受取る受け皿３２８とを備えている。
【００３７】
３個のリール３５０Ａ、３５０Ｂ、３５０Ｃは、回転することで図柄が順次前記表示窓３１４から見えるようになっている。回転方向は、表示窓３１４では、図１の上から下に移動するように見える。
【００３８】
ここで、回転を停止した場合に表示窓３１４から見える図柄のうち、中行に並んだ図柄の中心を結ぶライン、上行に並んだ図柄の中心を結ぶライン、下行に並んだ図柄の中心を結ぶラインと、２本の対角線上に並んだ図柄の中心をそれぞれ結ぶ２本のラインと、の５本の有効ライン上に停止した図柄の組み合わせが遊技の結果を示す。
【００３９】
なお、５本のラインのうち、どのラインが有効ラインとされるかはメダルの投資数によって決まり、１枚のメダルがベットされた場合は中行に並んだ図柄の中心を結ぶラインが有効ラインとされ、３枚のメダルがベットされた場合は全てのラインが有効ラインとされる。
【００４０】
前記停止ボタン３５６Ａ、３５６Ｂ、３５６Ｃは、図柄変動部３１６下部に設けられており、各リール３５０Ａ、３５０Ｂ、３５０Ｃに対応している。すなわち、対応するそれぞれのリール３５０Ａ、３５０Ｂ、３５０Ｃの回転を遊技者による停止ボタン３５６Ａ、３５６Ｂ、３５６Ｃの操作で停止させることができる。
【００４１】
また、この停止ボタン３５６Ａ、３５６Ｂ、３５６Ｃの左側に設けられた始動レバー３５４を操作（傾倒）することで、各リール３５０Ａ、３５０Ｂ、３５０Ｃが回転を開始するようになっている。なお、この回転は、通常は３個のリール３５０Ａ、３５０Ｂ、３５０Ｃが同時に回転を開始するようになっている。
【００４２】
さらに、この始動レバー３５４による操作タイミングは、後述する内部抽選のタイミングとなっており、当該始動レバー３５４の操作によって、当たり（役当選）／外れが決定するようになっている。
【００４３】
（制御系）
図２には、上記パチスロ機３００の動作を制御するための制御ブロック図が概略的に示されている。
【００４４】
パチスロ機３００の制御系は、主制御部１００を中心に構成されており、この主制御部１００には、メダル投入部３２０から投入されたメダルを識別し、メダルの投入数や種類（不正又は純正）等を出力するメダルセレクタ１０２が接続されると共に、始動レバー３５４、上述したリール３５０Ａ、３５０Ｂ、３５０Ｃのそれぞれに対応する停止ボタン３５６Ａ、３５６Ｂ、３５６Ｃ、ＭＡＸベットボタン３５２Ｂ、１枚ベットボタン３５２Ａ並びに遊技を中止する際に遊技機内部に貯留（クレジット）したメダルを戻すための精算ボタン１０３が、それぞれ操作状態を検出する不図示のセンサ等を介して接続されている。
【００４５】
また、主制御部１００は、ＣＰＵを含んで構成される主制御回路１１０を備えており、主制御回路１１０には、主として遊技の進行状況等を一時的に記憶するＲＡＭ１２８と、各種プログラム等が記憶されたＲＯＭ１３０と、が接続されると共に、主制御回路１１０の動作の基準となるクロックパルスを生成するクロックパルス発生回路１２４が分周器１２６を介して接続されている。
【００４６】
また、主制御回路１１０には、乱数発生器１２０及び乱数サンプリング回路１２２が接続されている。主制御回路１１０は、分周器１２６を介して入力されたクロックパルスに同期して乱数発生器１２０を制御して順次乱数を発生させ、乱数サンプリング回路１２２では、当該乱数発生器１２０により発生された乱数を取得してサンプリングする。
【００４７】
パチスロ機３００では、始動レバー３５４による操作タイミングで大役、小役等の当落を決定する内部抽選が主制御部１００により行われるようになっており、主制御回路１１０では、始動レバー３５４が操作されると上記乱数サンプリング回路１２２に対して、乱数の取得、サンプリング及び出力を指示し、これにより乱数サンプリング回路１２２から入力された乱数に応じて抽選結果を導出する。
【００４８】
なお、内部抽選が当たり（役当選）の場合は、その後の停止ボタン３５６Ａ、３５６Ｂ、３５６Ｃによる停止操作により当たり図柄が揃うと、遊技者は各図柄に応じた数のメダルを獲得できるほか、揃った図柄に応じて遊技者に有利な遊技状態となる。
【００４９】
ここで、役には小役と大役とがある。このうち、大役には、ビッグボーナス（以下、適宜「ＢＢ」という）及びレギュラーボーナス（以下、適宜「ＲＢ」という）があり、それぞれに対応する遊技においては遊技者に対する有利さの度合いが異なる。ＲＢに対応する遊技（以下、適宜「ＲＢゲーム」という）は複数回の小役ゲームにより構成されており、ＢＢに対応する遊技（以下、適宜「ＢＢゲーム」という）は、その遊技中に、獲得したメダル数が上限値を超えない範囲で複数回入賞可能なＲＢゲームを含んで構成されている。このため、当然、小役ゲームよりもＲＢゲームの方が、ＲＢゲームよりもＢＢゲームの方が、遊技者にとってより有利な遊技状態となる。
【００５０】
また、主制御部１００には、モータ駆動回路１３２が接続されており、当該モータ駆動回路１３２には、左（Ｌ）、中（Ｃ）、右（Ｒ）用の各リールモータ１０６Ａ、１０６Ｂ、１０６Ｃを介してそれぞれ左、中、右の各リール３５０Ａ、３５０Ｂ、３５０Ｃが接続されている。
【００５１】
さらに、主制御部１００には、３個のリール３５０Ａ、３５０Ｂ、３５０Ｃの回転位置を検出するためのリール位置検出回路１３４が接続されており、主制御部１００では、各リール３５０Ａ、３５０Ｂ、３５０Ｃの位置を常時把握することができるようになっている。
【００５２】
また、パチスロ機３００では、上記始動レバー３５４による操作タイミングで図柄変動部３１６による図柄変動を開始するようになっており、主制御部１００は、始動レバー３５４が操作されると、モータ駆動回路１３２を介したリールモータ１０６Ａ、１０６Ｂ、１０６Ｃの駆動をそれぞれ開始し、３個のリール３５０Ａ、３５０Ｂ、３５０Ｃをそれぞれ回転させると共に、その後の停止ボタン３５６Ａ、３５６Ｂ、３５６Ｃによる操作に基づいて、３個のリール３５０Ａ、３５０Ｂ、３５０Ｃの回転を停止させる。
【００５３】
ここで、主制御部１００では、上記停止ボタン３５６Ａ、３５６Ｂ、３５６Ｃによる停止操作に基づいてリール３５０Ａ、３５０Ｂ、３５０Ｃの回転を停止させる際、内部抽選の結果に応じて、所定コマ数の滑り制御を実行するようになっている。
【００５４】
すなわち、内部抽選が外れのとき、当りの場合のみ停止する図柄が有効ライン上に停止する停止タイミングで停止ボタン３５６Ａ、３５６Ｂ、３５６Ｃが操作された場合、意図的にこの図柄での停止を回避するため、停止位置をずらし（蹴飛ばし）、外れ図柄配列で停止するように制御する。
【００５５】
また、内部抽選が当りのとき、遊技者が操作した停止タイミングでは当り図柄が停止しない場合でも、所定図柄数内であれば、意図的にこの当たり図柄が有効ライン上に揃って停止するように停止位置をずらす（引き込み）制御を行う。
【００５６】
上記蹴飛ばし、引き込みを行うことで、内部抽選の結果と遊技の結果との統一性を持たせることができると共に、若干停止操作タイミングがずれても当り図柄を揃えることが可能となることで、遊技者の取りこぼしを可能な範囲で防いでいる。
【００５７】
また、主制御部１００には、パチスロ機３００内部に設けられたホッパー１３８を作動させるためのホッパー駆動回路１３６が接続されている。ホッパー１３８にはメダルが貯留されており、主制御部１００では、リール位置検出回路１３４からの出力により特定された停止図柄に応じて、ホッパー駆動回路１３６を介したホッパー１３８からのメダルの払い出しが実行される。
【００５８】
さらに、ホッパー１３８近傍には、ホッパー１３８から払出されるメダルを検出するメダル検出センサ１４０が配設されており、払出完了信号回路１４２を介して主制御部１００に接続されている。払出完了信号回路１４２では、メダル検出センサ１４０からの検出信号に基づいて払出が完了したか否かが判定され、払出が完了したと判定された時点で払出完了信号が生成されて主制御部１００に入力される。
【００５９】
主制御部１００では、払出完了信号回路１４２から払出完了信号が入力されるとホッパー駆動回路１３６を介してホッパー１３８によるメダルの払出しを終了する。
【００６０】
さらに、主制御部１００には、表示ランプ駆動回路１４４が接続されており、当該表示ランプ駆動回路１４４を介して前述した７セグメント表示部３１５Ａ、表示部３１５Ｂ、７セグメント表示部３１５Ｃ及び有効化ライン等の表示ランプ１４６の点灯及び消灯を制御する。
【００６１】
一方、主制御部１００には、副制御部１５０が接続されており、主制御部１００は副制御部１５０に対して、随時制御状態を示すコマンド信号を入力する。なお、本実施の形態では、主制御部１００と副制御部１５０との間の通信としては、主制御部１００から副制御部１５０に対する一方的な通信だけが実行され、副制御部１５０から主制御部１００に対する通信は一切行うことができない構成となっている。
【００６２】
副制御部１５０には、液晶制御回路１５２が接続されており、液晶制御回路１５２では、演出のために設けられた液晶表示装置（ＬＣＤ）３１３の表示状態を制御する。
【００６３】
また、副制御部１５０には、ランプ駆動回路１５６が接続されており、当該ランプ駆動回路１５６を介して装飾ランプ３０４Ａに内蔵されているランプ１１２や、リール３５０Ａ、３５０Ｂ、３５０Ｃの内部に設けられ、表示窓３１４に表示されるリール３５０Ａ、３５０Ｂ、３５０Ｃ周面の図柄に対向する位置に向けて発光するバックライト１５８等の発光を制御する。
【００６４】
さらに、副制御部１５０には、スピーカ駆動回路１５４が接続され、スピーカ３０５Ｌ、３０５Ｒからの音声（効果音）出力を制御する。
【００６５】
副制御部１５０では、主制御部１００のパチスロ機３００の制御状態に応じて、ＬＣＤ３１３、スピーカ３０５Ｌ、３０５Ｒ及びバックライト１５８や装飾ランプ３０４Ａに内蔵されたランプ１１２等による報知演出を実行する。
【００６６】
特に、ＬＣＤ３１３では、始動レバー３５４が操作されときに実行される役抽選の結果に応じて、当該遊技に関わる予告演出を実行する場合があり、遊技者はこの予告演出を見ることで、当該遊技の役抽選における当選への期待感を持つことができる。
【００６７】
図３は、本実施の形態に係る主制御部１００における遊技制御のための制御系を機能的に示したブロック図である。
【００６８】
主制御部１００は、抽選部１８０を含んで構成されており、当該抽選部１８０には、始動レバー３５４が操作されたことを示す操作信号が入力されるようになっている。抽選部１８０は、所定数のメダルの投入（ベット）がなされた後の始動レバー３５４の操作をトリガとして、内部抽選を実行するようになっている。
【００６９】
抽選部１８０では、始動レバー３５４の操作に同期して乱数値を取得し、当該乱数値をテーブル選択部１８２を経由して当選役・図柄決定部１８４へ送出する。
【００７０】
テーブル選択部１８２には、抽選部１８０により取得され得る数値に対応する役・図柄を示す情報がパチスロ機３００の遊技状態毎に記憶された役・図柄テーブル（一例として、図４参照）が格納されている。なお、パチスロ機３００の遊技状態としては、例えば、図４に示されるような、通常遊技、ＢＢ内部当選中、ＲＢ内部当選中、ＢＢ作動時の通常遊技、ＢＢ作動時のＲＢ内部当選中、ＲＢ遊技等があげられる。
【００７１】
テーブル選択部１８２では、遊技状態制御部１８６から現在の遊技状態（通常遊技、ＢＢ内部当選中、ＲＢ内部当選中、ＢＢ作動時の通常遊技、ＢＢ作動時のＲＢ内部当選中、ＲＢ遊技等）を示す情報を得て、上記遊技状態毎に設けられた役・図柄テーブルから役・図柄を決定すべき役・図柄テーブルを選択する。
【００７２】
このテーブル選択部１８２で選択された役・図柄テーブルに基づいて、当選役・図柄決定部１８４は、当選役（小役（リプレイを含む）、大役（ＲＢ、ＢＢ））及び当選図柄を決定し、決定した当選役及び当選図柄を遊技状態制御部１８６に入力する。
【００７３】
遊技状態制御部１８６には、パチスロ機３００の遊技状態に応じた各種プログラムを示すデータが記憶された遊技プログラムメモリ１８８が接続されている。遊技状態制御部１８６は、主として遊技実行制御部１８６Ａにより遊技プログラムメモリ１８８から遊技状態に応じた遊技プログラムデータを適宜読み出して実行することにより、遊技状態を制御するようになっている。
【００７４】
なお、遊技プログラムメモリ１８８には、通常遊技プログラムを示すデータ及び大役遊技プログラムを示すデータがそれぞれ記憶されており、例えば、通常遊技状態の場合は、遊技プログラムメモリ１８８から通常遊技プログラムデータが読み出され、大役遊技状態の場合はＢＢ、ＲＢの内部当選状態、ＢＢ、ＲＢの各遊技状態に応じて、大役遊技プログラムデータが読み出され、それぞれのプログラムデータに基づいて処理が実行される。
【００７５】
一方、主制御部１００は、リール駆動制御部１９４を含んで構成されており、始動レバー３５４の始動操作に基づき、前回の遊技の開始後、４．１秒を経過した後、モータ駆動部１３２を介してリールモータ１０６Ａ、１０６Ｂ、１０６Ｃを駆動させてリール３５０Ａ、３５０Ｂ、３５０Ｃの回転を開始する。
【００７６】
また、リール駆動制御部１９４は、停止ボタン３５６Ａ、３５６Ｂ、３５６Ｃの操作に基づいてリール３５０Ａ、３５０Ｂ、３５０Ｃの回転を停止させる停止制御を行う。
【００７７】
また、リール３５０Ａ、３５０Ｂ、３５０Ｃには、それぞれ位置検出センサ１９８Ａ、１９８Ｂ、１９８Ｃが取り付けられており、リール位置検出回路１３４を介してリール駆動制御部１９４に接続されている。リール駆動制御部１９４では、リール３５０Ａ、３５０Ｂ、３５０Ｃのそれぞれの回転位置を認識し、前記滑り制御を加味した状態でリール３５０Ａ、３５０Ｂ、３５０Ｃを停止させると共に、停止したリール３５０Ａ、３５０Ｂ、３５０Ｃの図柄配列を遊技状態制御部１８６へ送出する。
【００７８】
この停止したリール３５０Ａ、３５０Ｂ、３５０Ｃの図柄配列により、遊技状態制御部１８６では、何らかの役に入賞したか否かが確認され、小役の入賞であれば所定の配当が行われると共に、入賞した役がリプレイであればリプレイ制御が実行され、大役であれば遊技実行制御部１８６Ａにより大役遊技プログラムが遊技プログラムメモリ１８８から読み出されて実行される。
【００７９】
また、大役プログラムには、レギュラーボーナスゲームプログラム及びビッグボーナスゲームプログラムが、それぞれ別個に記憶されており、当選した大役に基づいて選択的に読み出されるようになっている。
【００８０】
レギュラーボーナスプログラムでは、権利行使として小役の抽選確率が通常遊技中の抽選確率よりも高い状態で最高１２回の遊技（最大遊技回数）を実行可能である。この１２回の遊技の間で何らかの小役に最高８回入賞（最大入賞回数）すると、レギュラーボーナスゲームは終了する。
【００８１】
一方、ビッグボーナスプログラムでは、権利行使としてレギュラーボーナスゲームが高確率に実行可能であり、ビッグボーナスゲームにおける獲得枚数が予め設定された上限枚数に到達すれば、レギュラーボーナスゲームの実行中であってもビッグボーナスゲームは終了する。なお、本実施の形態では、ビッグボーナスゲーム中における小役の当選確率は、通常遊技とほぼ同じとなっている。
【００８２】
また、遊技状態制御部１８６には、フラグ管理制御部１９０を介してフラグメモリ１９２が接続されており、上述した内部抽選の当選結果に応じた役の内部当選状態をフラグの状態によって管理している。
【００８３】
各フラグは、内部抽選により当選することにより成立し、一般に、小役のフラグの状態は１回の遊技で消滅（フラグ不成立）するが（当選の無効）、大役のフラグの状態はその後各リール３５０Ａ、３５０Ｂ、３５０Ｃが停止して表示窓３１４に大役図柄が所定の配列で表示されることにより大役に入賞するまで維持される（当選の持ち越し）。
【００８４】
なお、フラグメモリ１９２は、上述したリール駆動制御部１９４に接続されており、当該フラグメモリ１９２に記憶されたフラグの状態は、リール駆動制御部１９４による停止ボタン３５６Ａ、３５６Ｂ、３５６Ｃの操作に基づく停止制御の際の引き込みまたは蹴飛ばしの滑り制御のパラメータとして適用される。
【００８５】
図５には、リール駆動制御部１９４における、滑り制御を加味したリール３５０Ａ、３５０Ｂ、３５０Ｃの停止制御を実行するための機能ブロック図が示されている。
【００８６】
なお、本実施の形態では、停止制御を実行する際の基準ラインとして、上述した表示窓３１４に停止表示された図柄の中心を結ぶ５つのラインの内、上行に横一直線に並ぶラインを適用するものとして説明する。
【００８７】
また、図柄と図柄の間でリール３５０Ａ、３５０Ｂ、３５０Ｃが停止することはなく、上述した５つのライン上には必ず図柄の中心線が来るように、図柄ピッチで停止制御が実行される。
【００８８】
さらに、図６は、本実施の形態の形態に係る各リール３５０Ａ、３５０Ｂ、３５０Ｃの図柄配列を示すものであり、リール駆動制御部１９４では、同図に示される図柄番号で図柄を特定する。
【００８９】
停止ボタン３５６Ａ、３５６Ｂ、３５６Ｃは、基準ライン上図柄判定部２００に接続されている。この基準ライン上図柄判定部２００では、停止ボタン３５６Ａ、３５６Ｂ、３５６Ｃが操作された時点でのリールの回転位置をリール位置検出回路１３４から取得し、取得した信号に基づいて基準ライン上図柄を特定する。
【００９０】
基準ライン上図柄とは、上記滑り制御を加味しないでリール３５０Ａ、３５０Ｂ、３５０Ｃを停止させる所謂ビタ止め（滑りコマ数０)をする場合に基準ライン上に停止表示される図柄に相当する。
【００９１】
この基準ライン上図柄の特定は、基準ラインと、操作された停止ボタン３５６Ａ、３５６Ｂ、３５６Ｃに対応するリールの当該基準ライン上に表示されている図柄の中心線との位置関係に応じて行なわれる。
【００９２】
すなわち、停止操作があった時点で基準ライン上にある図柄の中心線が、基準ラインを超えていない場合は、当該図柄を基準ライン上図柄としても上記ビタ止め（滑りコマ数０)が可能であるので、当該図柄を基準ライン上図柄として特定する。一方、停止操作があった時点で基準ライン上にある図柄の中心線が基準ラインを超えている場合は、当該図柄を基準ライン上図柄としてしまうと、リール３５０Ａ、３５０Ｂ、３５０Ｃを逆回転させない限り基準ライン上図柄でビタ止めすることは不可能であるので、次に基準ライン上に表示される図柄を基準ライン上図柄として特定する。
【００９３】
特定された基準ライン上図柄の情報は、滑り制御量選択部２０２及びテーブル読出部２０６に送出されるようになっている。
【００９４】
一方、フラグメモリ１９２は、フラグ判定部２０４に接続されている。フラグ判定部２０４では、現時点（現遊技）でのフラグの状態を判定し、当該判定結果の情報をテーブル読出部２０６へ送出する。
【００９５】
テーブル読出部２０６には、滑り制御テーブルメモリ２０８が接続されている。この滑り制御テーブルメモリ２０８には、遊技状態（内部抽選結果）毎に設定された複数の滑りコマ数テーブル２０８（ｘ）（ｘ＝１、２、・・・a-1、a）と、複数のビットデータテーブル２０８（ｙ）（ｙ＝１、２、・・・b-1、b）が記憶されている(a、ｂは正の整数）。
【００９６】
すなわち、滑り制御テーブルメモリ２０８には、リール停止制御における滑りコマ数が格納された滑りコマ数テーブル２０８（ｘ）と、２回目以降のリール停止制御用として、各コマにビットデータを付与したビットデータテーブル２０８（ｙ）とが記憶されている。なお、ビットデータテーブル２０８（ｙ）は、滑りコマ数を導出するために用いられる（詳細は後述する）。
【００９７】
前記テーブル読出部２０６では、前記フラグ判定部２０４からの判定結果に基づいて、１回目のリール停止制御時には、停止制御に適用すべき滑りコマ数テーブル２０８（ｘ）が、２回目以降のリール停止制御時には、１回目のリール停止制御による停止図柄及び基準ライン上図柄情報に基づいてビットデータテーブル２０８（ｙ）が、それぞれ選択されて読み出され、前記滑り制御量選択部２０２に送出される。
【００９８】
滑り制御量選択部２０２では、テーブル読出部２０６により入力されたテーブル２０８及び基準ライン上図柄判定部２００から入力された基準ライン上図柄に基づいて滑りコマ数が決定され、駆動信号出力部２１０に送出される。
【００９９】
これにより、駆動信号出力部２１０では、モータ駆動回路１３２を制御して、リールモータ１０６Ａ、１０６Ｂ、１０６Ｃを所定の時期に停止させる。
【０１００】
なお、駆動信号出力部２１０には、前記遊技状態制御部１８６（図３参照）及び始動レバー３５４が接続されており、リール３５０Ａ、３５０Ｂ、３５０Ｃの始動制御時にもリールモータ１０６Ａ、１０６Ｂ、１０６Ｃの駆動を制御する。
【０１０１】
ここで、図７には、上記滑りコマ数テーブル２０８（ｘ）の一例として、内部抽選の結果が外れ、特定役当選、ＢＢ当選、ＢＢフラグ成立中の特定役当選の場合読み出される左リール３５０Ａの停止制御を行う際の滑りコマ数テーブル２０８が示されている。
【０１０２】
なお、同図に示される停止許可位置は、停止許可位置の図柄が上段に位置するように停止しても、内部抽選による抽選結果と遊技結果とを一致させることができる位置である。
【０１０３】
また、同図に示される滑りコマ数の欄の数値は、その数値に相当するコマ数分滑ることを表す。例えば、滑りコマ数の欄の数値が「３」となっている図柄が基準ライン上図柄である場合、この図柄から３コマ分滑り制御がなされて停止する。他の数値（「１」、「２」、「４」）についても同様であり、数値「０」は所謂ビタ止めを示す。
【０１０４】
例えば、左リール３５０Ａの図柄番号８「リプレイ」、９「バー」及び１０「チェリー」の何れかが上段に位置しているときに停止操作がされた場合、それぞれ滑りコマ数「１」、「２」、「３」なので、上段、中段、下段にはそれぞれ「ベル」、「リプレイ」、「バー」が停止表示されるように停止する（図８参照）。
【０１０５】
ところで、大役に当選した場合や取りこぼしの可能性のある役に当選し、当該役を取りこぼしたときは、遊技者にそのことを報知するチャンス目を表示させるような停止制御を実行する場合があるが、その後の数回の遊技における出目を見ていれば、大役に当選しているのか、取りこぼしの可能性のある役に当選しただけだったのかの判別ができてしまうことがある。
【０１０６】
すなわち、大役フラグは入賞するまで消滅しないので、以降の遊技においても頻繁にチャンス目が表示されるが、取りこぼしの可能性のある役に当選した場合は当選した遊技が終わるとフラグが消滅するので、以降の遊技でも頻繁に表示される可能性は低い。
【０１０７】
大役フラグが成立しているか否かを正確には把握させないようにして、期待感を継続させるためには、大役フラグが成立している場合でも、チャンス目が頻繁に表示されないように制御すると共に、大役フラグが成立していない場合でも、チャンス目を表示するように制御する必要がある。
【０１０８】
そこで、本実施の形態では、小役のひとつとして、特定役を設定している。当該特定役に対応する図柄の組み合わせは、左リール３５０Ａから順に「赤７−ベル−バー」であり、図７に示す滑りコマ数テーブル２０８（ｙ）は、図柄「１」〜「７」の範囲で左リール３０５Ａを停止操作すれば赤７を引込むように設定されている。
【０１０９】
図６からも分かるように、左リール３５０Ａ、右リール３５０Ｃには、特定役の組み合わせである赤７、バーがそれぞれ１つずつしか配置されていないので、特定役に当選している場合でも取りこぼす可能性が高い（例えば、左リール３５０Ａを図柄番号「０」、「８」〜「２０」の何れかで停止操作した時）。その時には特定役を取りこぼしたことを専用の停止出目（チャンス目）で表示（報知）するように停止制御すると共に、特定役に当選していない場合には、何れのタイミングで停止操作されてもチャンス目が表示されることがないように停止制御するようにしている。
【０１１０】
ここで、図４からも分かるように、特定役は単独で当選する場合と大役（ＢＢ）と同時に当選する場合（１回の抽選でＢＢと特定役に同時に当選、又は、ＢＢ内部当選後、未だにＢＢが揃っていない時の抽選で特定役に当選）とがあるので、特定役を取りこぼしたことを報知する専用の停止出目が表示された時は、ＢＢにも同時に当選している（ＢＢも取りこぼしている状態）時と単独当選していた特定役を取りこぼした時とがあり、前記専用の停止出目からはどちらの状態であるのか判別は困難であり、遊技者は前者のＢＢ当選であることを期待してその後の遊技をするので、チャンス目と呼ぶことができる。
【０１１１】
なお、本実施の形態では、チャンス目として、全てのリールが停止した時に、有効ライン上に何れの役も入賞せずに、かつ右リール３５０Ｃの上段及び下段にリプレイ又は赤リプレイを表示した場合を例にしており、その形態について説明する。
【０１１２】
図９及び図１０には、本実施の形態に係るビットデータテーブル２０８（ｙ）の一例が示されている。なお、図９及び図１０に示されるビットデータテーブル２０８（ｙ）は、内部抽選の結果に応じて、基準ライン上への停止を許可するように予め設定された図柄についてはビットデータ「１」が、他の図柄についてはビットデータ「０」が、それぞれ対応付けされている。
【０１１３】
図９には、上記ビットデータテーブル２０８（ｙ）の一例として、内部抽選の結果が特定役当選時又は大役フラグ成立中の特定役当選時であり、かつ、左リールが図８の状態で停止したときに読み出されるビットデータテーブル２０８（ｙ）が示されている。この時点で、特定役と大役の何れも取りこぼしたことが確定している。
【０１１４】
同図に示されるように、特定役に当選しているが、当該役を取りこぼした場合のビットデータテーブル２０８（ｙ）は、右リール３５０Ｃについて、リプレイ又は赤リプレイを上段に引込んで停止させるように設定されている。
【０１１５】
また、図１０には、上記ビットデータテーブル２０８（ｙ）の一例として、内部抽選の結果が大役当選時又は外れ時であり、かつ、左リールが図８の状態で停止したときに読み出されるビットデータテーブル２０８（ｙ）が示されている。この時点で大役の取りこぼしが確定している。同図に示すビットデータテーブル２０８（ｙ）は、中リール３５０Ｂと右リール３５０Ｃのどちらのリール３５０が先に停止操作されるかによらず、同じビットデーが読み出される。
【０１１６】
同図に示されるように、特定役に当選していない場合のビットデータテーブル２０８（ｙ）は、右リール３５０Ｃについて、例えばベルを上段に引込むように設定されており、リプレイ又は赤リプレイを上段から蹴飛ばすように設定されている。
【０１１７】
図１１（Ａ）には、特定役に当選し、当該役を取りこぼしたことによりチャンス目が停止表示された状態の一例が示されている。同図には、左リール３５０Ａが図８に示されるように停止しており、特定役に単独で、又は大役と同時に当選している場合に、中リール３５０Ｂ及び右リール３５０Ｃの基準ライン上図柄が共に図柄番号「０」である場合の停止状態を示している。
【０１１８】
この場合、図９に示すビットデータテーブルが読み出されるので、中リール３５０Ｂ及び右リール３５０Ｃはそれぞれ１コマ分の滑り制御が実行されて、停止位置が図１１（Ａ）に示されるように、チャンス目の表示状態となる。
【０１１９】
また、図１１（Ｂ）には、特定役に当選していない場合に（Ａ）と同じ停止位置で停止操作が行なわれたときの停止状態が示されている。この場合、図１０に示されるビットデータテーブルが読み出されるので、停止状態は図１１（Ｂ）に示されるように、チャンス目ではない表示状態となる。
【０１２０】
なお、本実施の形態では、滑り制御量選択部２０２において、２回目以降のリール停止制御では、内部抽選結果や既に停止した他のリール３５０の停止図柄等に応じて選択されたビットデータテーブル２０８（ｙ）に対してそれぞれ予め設定された点数を加点していく加点処理を行った結果に基づいて滑りコマ数の決定を行う。そして、滑り制御量選択部２０２では、加点処理の結果、基準ライン上図柄から所定の滑りコマ数の範囲内において、点数が最も高い図柄番号の図柄を選択して基準ライン上に停止させるようにしている。
【０１２１】
以下に本実施の形態の作用を説明する。
【０１２２】
まず、通常遊技の流れについて説明する。
【０１２３】
メダルがクレジットされている状態（或いは、メダル投入部３２０からメダルを投入した状態）で、１枚ベットボタン３５２Ａ、またはＭＡＸベットボタン３５２Ｂの操作によりメダルのベットが完了するか、或いは、メダル投入部３２０からメダルを投入することによりベットが完了すると、始動レバー３５４の操作が可能となる。
【０１２４】
始動レバー３５４が操作されると、この操作と同時に抽選部１８０により役の内部抽選がなされると共に、リール駆動制御部１９４の制御により、リール３５０Ａ、３５０Ｂ、３５０Ｃが回転を開始する。
【０１２５】
上記内部抽選の結果は、当選役・図柄決定部１８４から遊技状態制御部１８６に伝えられる。遊技状態制御部１８６は、フラグ管理制御部１９０を介してフラグメモリ１９２のフラグの状態を内部抽選の結果に応じて更新記憶させる。
【０１２６】
その後、遊技者が、停止ボタン３５６Ａ、３５６Ｂ、３５６Ｃを操作すると、この停止操作によってリール３５０Ａ、３５０Ｂ、３５０Ｃの回転を停止させるが、フラグメモリ１９２に記憶されているフラグに従って、滑り制御を加味して該当する図柄を所定位置に引き込むように、或いは所定位置から蹴飛ばすようにリール３５０Ａ、３５０Ｂ、３５０Ｃの停止制御が実行される。すなわち、リール駆動制御部１９４は、フラグメモリ１９２に記憶されたフラグの状態及び遊技状態制御部１８６による遊技状態に応じて停止制御テーブルを選択するようにしており、前記フラグが成立している場合には、的確な目押しタイミングによって当たり図柄を停止させることができる。また、多少の停止操作タイミングのずれは滑り制御によって矯正される。逆に、フラグが成立していない場合には、目押しを行っても、リール３５０Ａ、３５０Ｂ、３５０Ｃの回転に滑りを生じさせ、当り図柄では停止しないようにする。
【０１２７】
次に、全てのリール３５０Ａ、３５０Ｂ、３５０Ｃが停止すると、停止図柄に基づいて入賞したか否かの入賞判定が行われる。なお、入賞した場合には入賞した役の判定も行う。
【０１２８】
この判定により、大役に入賞したと判定された場合には、その停止図柄に従って、ビッグボーナス（ＢＢ）又はレギュラーボーナス（ＲＢ）のボーナスゲーム制御を実行し（権利行使）、小役と判定された場合には、当該小役に予め設定されている所定の払出し制御を実行する。
【０１２９】
図１２には、リール３５０の回転中に、遊技者によって停止ボタン３５６Ａ、３５６Ｂ、３５６Ｃの何れかが操作されたことを示す操作信号が入力された場合にリール駆動制御部１９４で実行される、停止制御処理ルーチンの処理の流れが示されている。以下、同図を参照して、本実施の形態に係る停止制御処理について説明する。
【０１３０】
まず、ステップ４０２では、基準ライン上図柄の特定を行う。基準ライン上図柄は、停止操作時に基準ライン上に位置する停止処理の対象となるリール３５０の図柄のことであり、操作信号の受信タイミングにおけるリール位置検出回路１３４の検出信号に基づいて特定することができる。
【０１３１】
次のステップ４０４では、停止済みのリール３５０があるか否かを判定し、当該判定が否定判定となった場合はステップ４０６に移行する。ステップ４０６では、滑り制御テーブルメモリ２０８に記憶された滑りコマ数テーブル２０８（ｘ）のうち、内部抽選の結果に応じたテーブルを選択して読み出し、その後にステップ４１４に移行する。
【０１３２】
一方、上記ステップ４０４で肯定判定となった場合はステップ４０８に移行し、既に停止したリール３５０の停止図柄を特定する。この停止図柄としては、例えば図８に示されるように、上段、中段、下段のそれぞれに停止した図柄が特定される。
【０１３３】
次のステップ４１０では、操作された停止ボタン３５６に対応するリール３５０のビットデータテーブル２０８（ｙ）のうち、内部抽選の結果及びステップ４０８で特定した停止図柄に応じたテーブルを読み出し、その後にステップ４１２に移行してビットデータテーブルに基づく加点処理を実行し、その後にステップ４１４に移行する。
【０１３４】
ここで、加点処理では、ステップ４１０で内部抽選結果読み出したビットデータテーブルに基づいて、適宜予め設定された点数を加点する。なお、本実施の形態では、ビットデータテーブルのビットデータが「０」の場合は「１」を、「１」の場合は「４」を、それぞれ加点する。
【０１３５】
ステップ４１４では、ビットデータテーブル２０８（ｙ）を用いた加点処理の結果又は滑りコマ数テーブル２０８（ｘ）の滑りコマ数に基づいて滑りコマ数を決定し、その後にステップ４１６に移行する。
【０１３６】
なお、加点処理の結果に基づいて滑りコマ数を決定する場合は、基準ライン上図柄から所定の滑りコマ数の範囲内において、点数が最も大きい図柄番号の図柄を選択し、基準ライン上図柄からのコマ数を滑りコマ数とする。
【０１３７】
また、滑りコマ数テーブル２０８（ｘ）の滑りコマ数に基づいて滑りコマ数を決定する場合は、基準ラン上図柄に対応する滑りコマ数をそのまま滑りコマ数として決定する。
【０１３８】
ステップ４１６では、決定した滑りコマ数分滑らせてリールの回転を停止させるための駆動信号を出力し、その後に本停止制御処理ルーチンを終了する。
【０１３９】
以上説明したように本実施の形態では、複数種類の図柄を配列したリール３５０Ａ，３５０Ｂ，３５０Ｃを変動表示可能な表示窓３１４を有し、変動開始指示に応じて役の内部抽選を行うと共に表示窓３１４におけるリールの変動表示を開始し、各リール３５０に対してそれぞれ入力される変動停止指示に基づいて予め設定された滑りコマ数の範囲内で変動表示の停止位置を調整して各リール３５０の変動表示を停止させ、リール３５０の変動停止後に表示窓３１４が内部抽選により当選した役に応じた表示状態となった場合に当該役を入賞とするに際し、全てのリール３５０が変動表示をしている状態で変動停止指示が入力された場合は、内部抽選の結果に応じた滑りコマ数テーブル２０８（ｘ）に基づいて停止位置の決定を行い、何れかのリール３５０が変動表示を停止している状態で変動停止指示が入力された場合は、内部抽選の結果及び停止図柄に応じたビットデータテーブル２０８（ｙ）に基づいて停止位置の決定を行なって、決定された停止位置でリール３５０の変動表示を停止させる停止制御を行う。
【０１４０】
なお、滑りコマ数テーブル２０８（ｘ）は抽選結果に応じて選択され、ビットデータテーブル２０８（ｙ）は抽選結果及び既に変動を停止したリール３５０の停止位置に応じて選択される。
【０１４１】
また、滑りコマ数テーブル２０８（ｘ）を、変動表示の停止位置を滑りコマ数の範囲内で設定したデータとしており、ビットデータテーブル２０８（ｙ）は、変動停止指示が入力されたタイミングに応じた変動表示の停止位置を導出するためのデータとしている。
【０１４２】
ここで、本実施の形態では、内部抽選により特定役に当選し、当該役を取りこぼした場合にだけ、チャンス目が表示可能になるように滑りコマ数テーブル２０８（ｘ）及びビットデータテーブル２０８（ｙ）を設定しているので、出目による抽選結果（ＢＢ当選の有無）の判別が困難になり、チャンス目が表示されることにより高まった期待感をリール３５０の停止データ容量を増やさずに次以降の遊技に効果的に継続させることができる。
【０１４３】
すなわち、特定役に当選している場合には、他の役の当選状況にかかわらず内部抽選の結果に応じた表示状態となるように停止制御を行い、内部抽選の結果に応じた表示状態とすることが不可能なタイミングで停止制御が実行された場合には、当選していない役への入賞を回避しつつ予め設定したチャンス目を表示するようにしている。一方、内部抽選により特定役に当選していない場合は、他の役の当選状況にかかわらず、チャンス目を表示しないようにしている。
【０１４４】
したがって、リールの停止制御に要するデータの容量を増大させることなく出目による抽選結果の判別を困難にして液晶等での報知演出を有効にできる。
【０１４５】
なお、本実施の形態における特定役をチェリーやスイカに変更又は追加してもよい。すなわち、図４における当選エリアＮｏ．８の「特定役及びＢＢ」を「チェリー及びＢＢ」、「スイカ及びＢＢ」にそれぞれ変更又は追加すれば、チャンス目の出現機会を増やすことができる。
【０１４６】
また、本実施の形態では、ビットデータテーブル２０８（ｙ）に基づき加点処理を実行する形態について説明したが、加点処理に限らず、相対的に優劣をつけることができる点数の処理、例えば、減点処理であれば、上記の「点数が最も高い図柄番号」を「点数が最も低い図柄番号」と読みかえればよい。また、プラス・マイナスの符号を考慮しない、絶対値であってもよい。さらに、加算、減算以外の他の四則計算（乗算、除算）を用いてもよい。
【０１４７】
その他、上記実施の形態で説明した測定装置の構成（図１及び図２参照）は一例であり、本発明の主旨を逸脱しない範囲内において適宜変更可能であることは言うまでもない。
【０１４８】
また、上記実施の形態で説明した遊技機の制御の流れ（図３乃至図１２参照）も一例であり、本発明の主旨を逸脱しない範囲内において適宜変更可能であることは言うまでもない。
【図面の簡単な説明】
【０１４９】
【図１】実施の形態に係るパチスロ機の斜視図である。
【図２】パチスロ機の制御系の概略図である。
【図３】主制御部における通常遊技制御のための制御系を機能的に示したブロック図である。
【図４】選択テーブルにおける一般遊技中に選択される当選判別テーブルを示す図表である。
【図５】リール駆動制御部における、滑り制御を加味したリールの停止制御を実行するための機能ブロック図である。
【図６】実施の形態に適用される各リールの配列状態を示す展開図である。
【図７】左リール用の滑りコマ数テーブルの一例を示す模式図である。
【図８】図７に示すテーブルを用いて左リールを停止させた場合の停止図柄の一例を示す図である。
【図９】左リールが図８の状態で停止しており、内部抽選により特定役に単独で又は大役と同時に当選している場合に読み出されるビットデータテーブルの一例を示す図である。
【図１０】左リールが図８の状態で停止しており、内部抽選により外れ又は大役に単独当選している場合に読み出されるビットデータテーブルの一例を示す図である。
【図１１】（Ａ）は、特定役に当選したことによりチャンス目が停止表示された状態の一例を示す図であり、（Ｂ）は、特定役に当選していない場合に（Ａ）と同じ停止位置で停止操作が行なわれたときの停止表示状態を示す図である。
【図１２】停止制御処理ルーチンの処理の流れを示すフローチャートである。
【符号の説明】
【０１５０】
１００    主制御部
１５０    副制御部
１５２    液晶制御回路
１８２    テーブル選択部
１８６    遊技状態制御部
１８６Ａ    遊技実行制御部
１９２    フラグメモリ
１９４    リール駆動制御部（停止制御手段）
２００    基準ライン上図柄判定部
２０２    滑り制御量選択部（停止位置決定手段）
２０４    フラグ判定部
２０６    テーブル読出部
２０８    滑り制御テーブルメモリ（記憶手段）
２１０    駆動信号出力部
３００    パチスロ機
３１３    ＬＣＤ
３１４    表示窓（表示部）
３５２Ｂ    ＭＡＸベットボタン
３５４    始動レバー
３５０Ａ、３５０Ｂ、３５０Ｃ    リール（図柄列）
３５６Ａ、３５６Ｂ、３５６Ｃ    停止ボタン
【図１】
2008237708.tif 000003
【図２】
2008237708.tif 000004
【図３】
2008237708.tif 000005
【図４】
2008237708.tif 000006
【図５】
2008237708.tif 000007
【図６】
2008237708.tif 000008
【図７】
2008237708.tif 000009
【図８】
2008237708.tif 000010
【図９】
2008237708.tif 000011
【図１０】
2008237708.tif 000012
【図１１】
2008237708.tif 000013
【図１２】
2008237708.tif 000014